(57)【要約】【課題】  精緻な形状の調節が可能であって、絆創膏や包帯を要することなく容易に装着できる身体固定具を提供する。【解決手段】  身体固定具は、一方向に延びる添木部と、添木部の短手方向の両端から対になって突出する二対以上の固定部とを備え、添木部と固定部とが、純度９７ｗｔ％以上の錫により一体に形成してある。患者は、身体固定具のうちの添木部を、身体の関節を含む領域に当て、添木部を身体に当てた状態で、固定部を身体の一部に巻き付けるように変形させて、身体に前記身体固定具を固定させる。患者は、添木部を自身で変形させて、関節を含む身体の一部の形状に沿うように調整し、調整した添木部を、身体の関節を含む領域に当てるようにしてもよい。【選択図】図１
2016016194.tif 000002
【特許請求の範囲】
【請求項１】
一方向に延びる添木部と、  
前記添木部の短手方向の両端から対になって突出する二対以上の固定部と
を備え、
添木部と固定部とが、純度９７ｗｔ％以上の錫により一体に形成してあることを特徴とする
身体固定具。
【請求項２】
錫により一体に形成され、一方向に延びる添木部と、この添木部の短手方向の両端から対になって突出する二対以上の固定部とを備えた身体固定具のうちの前記添木部を、身体の関節を含む領域に当てるステップと、
前記添木部を身体に当てた状態で、前記固定部を身体の一部に巻き付けるように変形させて、身体に前記身体固定具を固定させるステップと
を有することを特徴とする身体固定方法。
【請求項３】
前記添木部を変形させて、関節を含む身体の一部の形状に沿うように調整するステップ
をさらに有し、
前記当てるステップでは、変形させた前記添木部を、身体の関節を含む領域に当てることを特徴とする請求項２に記載の身体固定方法。
【発明の詳細な説明】
【技術分野】
【０００１】
本発明は、骨折や捻挫の当該患部を固定するための身体固定具に関するものである。
【背景技術】
【０００２】
手指の骨折の保存的治療として、従来、シーネ（副木）による患部の固定が行われている。シーネ１００は、アルミなどからなり、図５に示すように、患部に沿うように形成された板状または棒状のものであって、これを患部に当接させて、絆創膏１０１を巻いて固定する。
なお、特許文献１には、その末節骨が遠位指節間関節で一方の側に橈尺偏位している指の、末骨節付近に配置されている第一のベースプレートと、この第一のベースプレートに連接しておりこの指の中節骨付近に配置されている第二のベースプレートと、この第一のベースプレートの一方の縁から起立する第一のサポートプレートと、この第一のベースプレートの他方の縁から起立する第二のサポートプレートと、この第二のベースプレートの他方の縁から起立する第三のサポートプレートとを備えており、この第一のベースプレート及び第二のベースプレートが、末節骨を中節骨に対して背屈しうるように構成されており、この第一のサポートプレートが、塑性変形してこの指の側面を押圧しうるように構成されており、この第二のサポートプレートが、塑性変形してこの指の側面を押圧しうるように構成されており、この第三のサポートプレートが、塑性変形してこの指の側面を押圧しうるように構成されており、平面視において、この第一のベースプレートの長手方向が、この第二のベースプレートの長手方向に対して他方の側に傾斜している矯正装具が開示されている。
【先行技術文献】
【特許文献】
【０００３】
【特許文献１】特開２００８−３６３２９号公報
【発明の概要】
【発明が解決しようとする課題】
【０００４】
しかしながら、このような従来のシーネは、患部の位置や患者の体形などに合わせて形状を精緻に調整することが困難であった。また、手指の固定に際しては、患者が自ら絆創膏や包帯を巻くことは困難であり、介助者が必要であった。さらに、絆創膏や包帯を巻くので、水仕事をすることができず、また非常に重症感のある外観となってしまう点も問題であった。
【０００５】
本発明は、上記事情を鑑みたものであり、精緻な形状の調整が可能であって、絆創膏や包帯を要することなく容易に装着できる身体固定具を提供することを目的とする。
【課題を解決するための手段】
【０００６】
本発明に係る身体固定具は、一方向に延びる添木部と、前記添木部の短手方向の両端から対になって突出する二対以上の固定部とを備え、添木部と固定部とが、純度９７ｗｔ％以上の錫により一体に形成してあることを特徴とする。
【０００７】
好適には、錫により一体に形成され、一方向に延びる添木部と、この添木部の短手方向の両端から対になって突出する二対以上の固定部とを備えた身体固定具のうちの前記添木部を、身体の関節を含む領域に当てるステップと、前記添木部を身体に当てた状態で、前記固定部を身体の一部に巻き付けるように変形させて、身体に前記身体固定具を固定させるステップとを有することを特徴とする。
【０００８】
好適には、前記添木部を変形させて、関節を含む身体の一部の形状に沿うように調整するステップをさらに有し、前記当てるステップでは、変形させた前記添木部を、身体の関節を含む領域に当てることを特徴とする。
【発明の効果】
【０００９】
本発明によれば、添木部を手指などの患部に沿うような形状に変形させて当接させ、固定部を患部の周囲に巻き付けることで、患部を固定することができる。高純度（９７ｗｔ％以上）の錫からなる本発明は、手で変形可能な柔らかさであるから、添木部の形状を、患部の位置や患者の体形などに合わせて精緻に調節することができる。また、絆創膏や包帯は必要ないので、患者が自分で容易に装着することができ、装着したまま水仕事をすることもできる。さらに、錫は銀に近い色をした金属であり、本発明を装着していても装飾品のように見えるので、日常生活の妨げになりにくい。そして、錫には抗菌・滅菌作用があり、また金属アレルギーを引き起こしにくいので、素肌に直接触れるように装着しても、衛生的で安全である。
【図面の簡単な説明】
【００１０】
【図１】身体固定具５の第一実施形態の斜視図である。
【図２】身体固定具５の第一実施形態の装着例であり、（ａ）は上面図（指の背側）、（ｂ）は側面図、（ｃ）は下面図（指の腹側）である。
【図３】身体固定具５の平面図であり、（ａ）は第一実施形態、（ｂ）は第二実施形態を示す。
【図４】身体固定具５の第三実施形態を示し、（ａ）は平面図、（ｂ）は装着例である。
【図５】従来のシーネの装着例である。
【発明を実施するための形態】
【００１１】
本発明の身体固定具５の具体的な構成について、各図面に基づいて説明する。
図１に示すように、この身体固定具５の第一実施形態は、一方向に延びる帯状の添木部１と、添木部１の短手方向の両側から対になって突出する二対（四本）の固定部２を備える。
固定部２は、基端が添木部１の長手方向中央部に位置している。二対の固定部２のうち、一方の一対（二本）の固定部２は、添木部１の基端から添木部１の一方側端部方向へ向けて湾曲しており、他方の一対（二本）の固定部２は、添木部１の基端から添木部１の他方側端部方向へ向けて湾曲している。また、それぞれの一対の固定部２は、略Ｃ字状をなしている。
添木部１の長手方向長さは、３５ｍｍから４５ｍｍであり、より好ましくは、約４０ｍｍである。添木部１の短手方向の長さは、１０ｍｍから３０ｍｍである。また、添木部１および固定部２の厚さは、２ｍｍから３ｍｍであり、より好ましくは、約２．５ｍｍである。固定部２の短手方向の長さは、添木部１の短手方向の長さの１／４から１／３である。より具体的には、固定部２は、最大径が２ｍｍから４ｍｍであり、湾曲して突出した細長い棒状部位である。固定部２の突出する長さは、２０ｍｍから３５ｍｍである。固定部２の端部は、身体に当たっても痛くないように、面取りされた曲面を有する。
また、添木部１と固定部２とを備える身体固定具５は、純度９７ｗｔ％以上の錫により一体に形成してあり、手で力を加えると変形可能な程度の柔らかさである。
【００１２】
次に、この身体固定具５の使用方法について説明する。ここで、手の指の第二関節が患部である場合を例に挙げる。
図２に示すように、まず、患者は、添木部１を指Ｆの腹に圧着（当接）させる。この際、添木部１の長手方向中央部を患部である第二関節に一致させ、指Ｆが治療において必要とされる状態（関節の角度など）で固定されるように、事前に添木部１を適宜変形させる。
そして、患者は、固定部２を指Ｆの腹から背にかけて巻き付けるように変形させる。患者は、二対（四本）の固定部２のうち、一対の固定部２を、指Ｆの第二関節の基端側に巻き付け、もう一対の固定部２を、第二関節の先端側に巻き付けることで、患部に触れることなく、身体固定具５を装着して指Ｆを固定することができる。
【００１３】
この身体固定具５によれば、全体が高純度（９７ｗｔ％以上）の錫からなり、手で変形可能な柔らかさであることから、添木部１の形状を、患部の位置や患者の体形などに合わせて精緻に調節することができる。また、身体固定具５は、一箇所につき一対（二本）の固定部２を両側から巻き付けるものであり、固定部２も対象に合わせて変形可能であるから、固定する身体の部位の形状や大きさ・太さなどによらず、装着できる。なお、身体固定具５は、錫の純度が低くなると、硬すぎて手で変形できなくなるので、９７ｗｔ％以上の純度であることが必要である。また、身体固定具５は、固定部２を患部の周囲に巻き付けるだけで装着可能であり、絆創膏や包帯は必要ないので、患者が自分で容易に装着することができ、装着したまま水仕事をすることもできる。さらに、たとえば患者が手の指Ｆに装着した場合、手の甲の側から見ると、図２（ａ）に示すように、指Ｆに巻きつけた固定部２のみが視認でき、また錫は銀に近い色をした金属であるから、装着していても指輪などの装飾品のように見えるので、日常生活の妨げになりにくい。そして、身体固定具５を形成する錫には抗菌・滅菌作用があり、また金属アレルギーを引き起こしにくいので、素肌に直接触れるように装着しても、衛生的で安全である。さらに、身体固定具５は、全体が変形自在で元の形状に戻すことも容易であるから、治癒後に再利用することもできる。
【００１４】
また、この身体固定具５は、患部の位置や患者の体形などに対応するために、添木部１の長さが異なるものを複数用意しておくことが望ましい。図３はその例を示すものであり、（ａ）が上記の第一実施形態の平面図であって、（ｂ）が第二実施形態の平面図である。
身体固定具５の第二実施形態は、第一実施形態に対して添木部１を長く伸ばした形状となっており、固定部２の基端が、添木部１の長手方向中央部から両端側に寄っている。これらにより、身体固定具５は、患部の範囲が狭い場合や患者の体形が小柄な場合には第一実施形態を用い、患部の範囲が広い場合や患者の体形が大柄な場合には第二実施形態を用いるなど、適宜に選択して用いることができる。また、身体固定具５は、固定部２を長く伸ばして、指が太い患者でも用いることができるようにしたり、固定部２を三対（六本）以上設けて、より確実に固定できるようにしてもよい。
【００１５】
さらに、図４には、身体固定具５の第三実施形態をしめす。
身体固定具５の第三実施形態は、図４（ａ）に示すように、第一実施形態において、添木部１の一端をさらに延長し、その先端に別の固定部（腕用固定部２ａ）を設けたものである。腕用固定部２ａは、固定部２よりも長く太く形成されている。このように構成した第三実施形態の身体固定具５は、たとえば図４（ｂ）に示すように、添木部１を小指Ｆ１から手首Ｗにかけて当接させ、固定部２を小指Ｆ１に巻き付け、腕用固定部２ａを手首Ｗに巻き付けることで、小指Ｆ１から手首Ｗにわたる部位を固定することができる。
【００１６】
本発明は、上記の実施形態に限定されない。たとえば、一対の固定部２は、その先端同士が接合された環状のものであってもよい。また、添木部１および固定部２の断面形状は、装着する身体の部位の形状や、変形のしやすさなどを考慮して、自由に設定できる。
さらに、添木部１および固定部２は、何れも変形自在なものであるから、初期状態はどのような形状であってもよいが、平板状であれば、効率よく収納できるので望ましい。また、この身体固定具５は、自在な変形が可能あるから、手の指のほか、足の指や、手首、足首など、身体の種々の部位の固定に用いることができる。
【符号の説明】
【００１７】
１        添木部
２        固定部
２ａ      腕用固定部（固定部）
５        身体固定具
【図１】
2016016194.tif 000003
【図２】
2016016194.tif 000004
【図３】
2016016194.tif 000005
【図４】
2016016194.tif 000006
【図５】
2016016194.tif 000007